(57)【要約】【課題】電線接続コネクタを接続する際の誤接続を防ぎつつ、接続の簡易化を図ることができる電線接続コネクタを提供する。【解決手段】第１コネクタ１０と、第２コネクタ２０とを有し、第１コネクタ１０には、電流量の異なる複数の配線のそれぞれが接続された複数の第１接続部３０が設けられており、第２コネクタ２０には、第１コネクタ１０と第２コネクタ２０とを接続させた際に第１接続部３０に対応する箇所に第２接続部４０が設けられており、第１コネクタ１０と第２コネクタ２０とを接続することで、第１接続部３０と第２接続部４０が電気的接続するコネクタ装置において、第２接続部４０は、光源側に通電され得る複数の通電用接続部５０を有しており、複数の通電用接続部５０のうちいずれかが光源側に通電されるものであることを特徴とするコネクタ装置。【選択図】図１
2015115259.tif 000002
【特許請求の範囲】
【請求項１】
電源回路側からの複数の配線が接続された第１コネクタと、
光源側からの配線が接続された第２コネクタとを有し、
前記第１コネクタには、電流量の異なる複数の配線のそれぞれが接続された複数の第１接続部が設けられており、
前記第２コネクタには、前記第１コネクタと前記第２コネクタとを接続させた際に前記第１接続部に対応する箇所に第２接続部が設けられており、
前記第１コネクタと前記第２コネクタとを接続することで、
前記第１接続部と前記第２接続部が電気的接続するコネクタ装置において、
前記第２接続部は、前記光源側に通電され得る複数の通電用接続部を有しており、
前記複数の通電用接続部のうちいずれかが前記光源側に通電されるものであることを特徴とするコネクタ装置。
【請求項２】
請求項１に記載のコネクタ装置を備えたＬＥＤ照明器具であって、
前記ＬＥＤ照明器具の内部に前記コネクタ装置が備えられていることを特徴とするＬＥＤ照明器具。
【発明の詳細な説明】
【技術分野】
【０００１】
本発明は、コネクタ装置に関するものである。
【背景技術】
【０００２】
ＬＥＤ照明器具には、ＬＥＤ基板と、そのＬＥＤ基板に実装されたＬＥＤ光源が備えられており、このＬＥＤ光源には電源回路から電力を供給するための電線と、ＬＥＤ光源からの電線の配線が必要である。これらの電線同士の接続には、器具の組立時やＬＥＤ光源・電源回路の補修交換時において、分離や接続を簡易に行えるよう電線接続コネクタが用いられている。（特許文献１参照）
このような場合、図３に示すようなコネクタ装置Ａが用いられており、ＬＥＤ照明器具２００には、必要な光出力に応じて、数種類の出力の異なるＬＥＤ光源を搭載し、これらの出力の異なるＬＥＤ光源に対して、専用のＬＥＤ点灯用の電源回路を設置し、それぞれの接続を電線接続コネクタによって行われていた。
【先行技術文献】
【特許文献】
【０００３】
【特許文献１】実用新案登録第３１３８４９６号公報
【発明の概要】
【発明が解決しようとする課題】
【０００４】
上記のように、同一形状のコネクタ装置で構成した場合、異なる電力量同士の誤接続などが発生し、ＬＥＤ光源の破損などの事故につながる恐れがある。
【０００５】
また、異なる電力量毎にコネクタ装置の形状を変更させることも可能であるが、コネクタ装置の形状が多数存在し、接続が複雑化するという課題もあった。
【０００６】
本発明は、従来の問題を解決するためになされたもので、誤接続によるＬＥＤ光源の破損を防止し、かつ、接続の簡易化を図ることができるコネクタ装置を提供することを目的とする。
【課題を解決するための手段】
【０００７】
本発明のコネクタ装置は、電源回路側からの複数の配線が接続された第１コネクタと、光源側からの配線が接続された第２コネクタとを有し、前記第１コネクタには、電流量の異なる複数の配線のそれぞれが接続された複数の第１接続部が設けられており、前記第２コネクタには、前記第１コネクタと前記第２コネクタとを接続させた際に前記第１接続部に対応する箇所に第２接続部が設けられており、前記第１コネクタと前記第２コネクタとを接続することで、前記第１接続部と前記第２接続部が電気的接続するコネクタ装置において、前記第２接続部は、前記光源側に通電され得る複数の通電用接続部を有しており、前記複数の通電用接続部のうちいずれかが前記光源側に通電されることを特徴とする。
【０００８】
また、前記ＬＥＤ照明器具の内部に前記コネクタ装置が備えられていることを特徴とするＬＥＤ照明器具であってもよい。
【発明の効果】
【０００９】
本発明は、電線接続コネクタを接続する際の誤接続を防ぎつつ、接続の簡易化を図ることができる電線接続コネクタを提供する。
【図面の簡単な説明】
【００１０】
【図１】実施形態に係るコネクタ装置Ａの側面図
【図２】実施形態に係るコネクタ装置Ａの側面図
【図３】従来のコネクタ装置の斜視図
【発明を実施するための形態】
【００１１】
（実施形態）
以下、コネクタ装置の実施形態について図１〜図３を用いて説明を行う。なお、以下の実施の実施形態においては、ＬＥＤ照明器具に関するコネクタ装置に特化した説明を行うが、本発明におけるコネクタ装置の形状は、ＬＥＤ照明器具に用いられるものに限定されるものではなく、その他様々な用途としてのコネクタ装置に活用することが可能である。
【００１２】
本実施形態に示すコネクタ装置Ａは、電源回路側からの複数の配線が接続された第１コネクタ１０と、光源側からの配線が接続された第２コネクタ２０とを有し、第１コネクタ１０には、電流量の異なる複数の配線のそれぞれが接続された複数の第１接続部３０が設けられており、第２コネクタ２０には、第１コネクタ１０と第２コネクタ２０とを接続させた際に第１接続部３０に対応する箇所に第２接続部４０が設けられており、第１コネクタ１０と第２コネクタ２０とを接続することで、第１接続部３０と第２接続部４０が電気的接続するコネクタ装置において第２接続部４０は、光源側に通電され得る複数の通電用接続部５０を有しており、複数の通電用接続部５０のうちいずれかが光源側に通電されるものであることを特徴とするものである。以下、具体的に説明を行う。
【００１３】
コネクタ装置Ａは、第１コネクタ１０と第２コネクタ２０とからなっており、それぞれの第１コネクタ１０と第２コネクタ２０とは電気的に接続されるような構造となっている。これら第１コネクタ１０と第２コネクタ２０とを接続させた際に、容易には抜け落ちないようストッパー９０が、第１コネクタ１０と第２コネクタ２０の任意の一辺に設けられている。
【００１４】
第１コネクタ１０には、電源回路側からの複数の配線が接続されており、その複数の配線のそれぞれには異なる電流量が通電されている。これらの複数の配線の通電先は、第１接続部３０である。図１では、第１コネクタ１０における第１接続部３０の反対側を視認することはできないが、第１接続部３０の裏側には、配線接続部１００があり、配線接続部１００に電源回路側からの配線を接続することで、第１接続部３０に電気的に通電する。
【００１５】
また、図１では、第１コネクタ１０はジャック形状を採用している。しかし、ジャック形状に限定されるものではなく、プラグ形状であってもよい。
【００１６】
第２コネクタ２０には、ＬＥＤ光源側からの２本の配線が第２接続部４０に接続されている。ＬＥＤ光源側からの配線も、上述の電源回路側からの配線と同様、第２コネクタ２０の配線接続部１００に接続されており、配線接続部１００に配線を接続することで第２接続部４０と電気的に接続されることとなる。
【００１７】
また、この２本の配線のうち１本はニュートラル接続のための配線接続である。このニュートラル接続は、配線を行うにあたって欠かすことのできない配線である。また、同様に第１コネクタ１０側にもニュートラル接続が必ず１本必要であり、この第１コネクタ１０と第２コネクタ２０とを接続した際に、第１コネクタ１０側および第２コネクタ２０側の互いのニュートラル接続が同位置にくるよう配線されている。
【００１８】
上記で示した、第１コネクタ１０および第２コネクタ２０は、いずれも絶縁材料で構成
されており、例えば樹脂材料などが考えられる。第１コネクタ１０および第２コネクタ２０が絶縁材料で構成されていることから、互いを手で保持することが可能であって、取付および取外しが可能となる。
【００１９】
続いて、第１コネクタ１０および第２コネクタ２０の特徴部分について説明を行う。上述の通り、第１コネクタ１０には、電源回路側より電流量の異なる配線が複数接続されている。その異なる電流量がそれぞれ通電された第１接続部３０には、第２コネクタ２０の第２接続部４０である複数の通電用接続部５０がそれぞれ接続されるようになっている。
【００２０】
すなわち、第２コネクタ２０の第２接続部４０には、それぞれ異なる電流量が通電されていることになるが、第２コネクタ２０には２本の配線のみが通電用接続部５０に接続されていることから、２本の配線のうち、１本をいずれの電流量が通電されている配線接続部１００に接続するかによって電流量を任意に選択することが可能となる。
【００２１】
これによって、光源側が要求する電力量に応じた電源回路を都度用意することなく、コネクタ装置Ａの配線のみで電流量を選択することが可能となる。すなわち、各種光源に応じた電源回路を全て用意する必要がないので、コスト低減につながる。
【符号の説明】
【００２２】
Ａ  コネクタ装置
１０  第１コネクタ
２０  第２コネクタ
３０  第１接続部
４０  第２接続部
５０  通電用接続部
９０  ストッパー
１００  配線接続部
【図１】
2015115259.tif 000003
【図２】
2015115259.tif 000004
【図３】
2015115259.tif 000005